(57)【要約】【課題】ディスクドライブユニットを電子機器筐体へ装着するのみで光ピックアップの短絡状態が解除されるようにし、光ピックアップの短絡のための配線技術およびこれを除去する作業を一掃するとともに、静電気の影響を防止できるようにする。【解決手段】ディスクドライブユニットに光ピックアップの信号線を常閉接点により短絡する切換スイッチを設ける一方、電子機器筐体に操作子を設けることにより前記ディスクドライブユニットを電子機器に配設したとき、前記操作子が前記切換スイッチを作動して前記常閉接点を開成し、光ピックアップの信号線の短絡状態が解除されるようにする。【選択図】図２
2007157302.tif 000002
【特許請求の範囲】
【請求項１】
電子機器筐体に装着したとき作動される切換スイッチを装置内部に配設し、該切換スイッチの常閉接点により光ピックアップの信号線を短絡してなることを特徴とするディスクドライブユニット。
【請求項２】
切換スイッチが配線基板に実装されていることを特徴とする請求項１記載のディスクドライブユニット。
【請求項３】
ディスクドライブユニットに光ピックアップの信号線を常閉接点により短絡する切換スイッチを設ける一方、電子機器筐体に操作子を設けることにより前記ディスクドライブユニットを電子機器筐体に配設したとき、前記操作子が前記切換スイッチを作動して前記常閉接点を開成し、光ピックアップの信号線の短絡状態が解除されるようにしたことを特徴とするディスクドライブユニットのマウント構造。
【請求項４】
切換スイッチの作動前にディスクドライブユニットのシャーシケースが電子機器筐体と電気的に接続されるようにしたことを特徴とする請求項３記載のディスクドライブユニットのマウント構造。
【発明の詳細な説明】
【技術分野】
【０００１】
本発明は、コンピュータシステム、各種音響機器などの電子機器において、大量の情報を光学的に記録または再生するための記録媒体となる光ディスク（ＣＤ−Ｒ／ＲＷ、ＤＶＤ−Ｒ／−ＲＷ／ＲＡＭ／＋Ｒ／＋ＲＷなど）をドライブするディスクドライブユニットに関するもので、情報の記録または再生を司る光ピックアップの静電気破壊を防止するようにしたものである。
【背景技術】
【０００２】
一般に上記のような電子機器は生産販売の便宜性を向上するための手段として、機器構成要素の主体となる部分をユニット化し、このユニット化された構成要素を各別に配送し、販売地において組み立てて完成品とするノックダウン生産が主流となっている。かかる生産方式は、電子機器においても多く採用されているのであるが、精密部品を多く使用する電子機器においては特に静電気による破壊を防ぐための配慮が要求される。
【０００３】
特に、光ディスクの情報の記録または再生を行う光ピックアップは、発光素子であるレーザーダイオードおよび受光素子である電荷結合素子（ＣＣＤ）を主体に構成されている。かかる素子は、半導体により構成されているもので、静電気に対してきわめて脆弱であるため十分な保護がなされなければならない。
【０００４】
このような光ピックアップを組み込んだディスクドライブユニットは、通常、金属箔シートなどで包装されて搬送され、組立地において開包されるので、搬送過程においては一応、静電気に対する危険を回避することができる。ところが、開包されたディスクドライブユニットは静電気の影響を受け易い状態となるため、かかる状態にも対応できる安全対策が必要であった。
【０００５】
そこで、最も一般的な手段として、光ピックアップの信号線が接続された配線基板においてこの信号線を短絡する配線処理を施し、ディスクドライブユニットを電子機器筐体へ装着する際に前記配線処理を除去するようにしている。また、信号線に入力される信号を平滑化する静電気破壊防止用平滑回路を設け、コネクタを接続した際に、前記静電気破壊防止用平滑回路の平滑機能を停止させるようにしたものがある（例えば、特許文献１）。
【特許文献１】特開２００１−３１３１２７
【発明の開示】
【発明が解決しようとする課題】
【０００６】
前記のように配線処理を施す手段による場合は、完成したディスクドライブユニットの光ピックアップの信号線を短絡する配線処理、およびこの配線処理を除去するための作業が必要となるが、かかる作業は光ピックアップを静電気破壊する危険を伴う。即ち、前記配線処理作業は人為的作業であり、作業者の人体に帯電した静電気が作業中に半田鏝から光ピックアップに流れ、これが原因となって光ピックアップを破壊してしまうのである。
【０００７】
また、前記のような配線処理作業を施す配線基板には多くの電子部品が実装され、配線状態も稠密であるため、その配線処理作業は熟練を要するものであり、不慣れな作業者による場合は配線基板上での短絡事故を引き起こすことになる。一方、静電気破壊防止用平滑回路による場合は、複数の電気部品により構成されるため簡易な構成とすることができずコスト上昇の要因となる。
【課題を解決するための手段】
【０００８】
そこで本発明は、以下に述べる各手段により上記課題を解決するようにした。即ち、請求項１記載の発明では、電子機器筐体に装着したとき作動される切換スイッチを装置内部に配設し、該切換スイッチの常閉接点により光ピックアップの信号線を短絡する。
【０００９】
請求項２記載の発明では、上記請求項１記載の発明において、切換スイッチが配線基板に実装されているようにする。
【００１０】
請求項３記載の発明では、ディスクドライブユニットに光ピックアップの信号線を常閉接点により短絡する切換スイッチを設ける一方、電子機器筐体に操作子を設けることにより前記ディスクドライブユニットを電子機器筐体に配設したとき、前記操作子が前記切換スイッチを作動して前記常閉接点を開成し、光ピックアップの信号線の短絡状態を解除するようにする。
【００１１】
請求項４記載の発明では、上記請求項３記載の発明において、切換スイッチの作動前にディスクドライブユニットのシャーシケースが電子機器筐体と電気的に接続されるようにする。
【発明の効果】
【００１２】
本発明のディスクドライブユニットによれば、これを電子機器筐体へ装着した時点で光ピックアップの短絡が解除されるようにしたので、短絡のための配線接続およびこれを除去するための作業が全く不要となる。また、電子機器筐体へ装着するまでは光ピックアップの信号線が確実に短絡されており、静電気の影響を確実に防止することができる。
【発明を実施するための最良の形態】
【００１３】
以下、本発明の実施の形態を図にもとづいて詳細に説明する。
【００１４】
図１は、電子機器筐体ＡにディスクドライブユニットＢを組み込んだ状態を示すもので、ＣＤ／ＤＶＤプレーヤの完成態様の例を示すものである。前記ディスクドライブユニットＢのシャーシケース１の背面には図２に示すようにマルチコネクタ２が配設され、開口部１ａが形成されている。また、ディスクドライブユニットには、その後部に通常、信号処理を司る配線基板３が配設されており、この配線基板３に本発明では光ピックアップの信号線を短絡する切換スイッチ４を設けた。
【００１５】
即ち、ディスクドライブユニットＢの光ピックアップに接続された配線基板３の信号線を分岐して前記切換スイッチ４に導き、この切換スイッチ４のスイッチノブ４ａが操作されていない図２に示す状態のとき、前記信号線が短絡するようにしてある。一方、電子機器筐体Ａの配線基板５には、前記マルチコネクタ２と接続するマルチコネクタ６が配設されており、これにより電子機器筐体ＡとディスクドライブユニットＢとの間の信号の授受が可能となる。
【００１６】
また、前記配線基板５には操作子７が、前記マルチコネクタ２とマルチコネクタ６が接続されたとき前記切換スイッチ４のスイッチノブ４ａを作動する位置に配設されている。このように構成された電子機器筐体Ａの配線基板５は図３に示すようにマウントベイ８の後部に配設される。そして、前記マウントベイ８には電子機器筐体Ａと電気的に接続されたホルダー９が配設され、該ホルダー９に接触子１０を設ける。
【００１７】
以上のごとく構成された電子機器筐体ＡにディスクドライブユニットＢを配設するには、まず、ディスクドライブユニットＢをマウントベイ８から差し込み、シャーシケース１を接触子１０と接触させつつ押し込む。このとき、ディスクドライブユニットＢはホルダー９に対して遊嵌状態であるので機構的精度は要求できず、図４（Ａ）に示すようにマルチコネクタ２とマルチコネクタ６が接続される以前に開口部１ａから進入した操作子７により切換スイッチ４が作動されてしまう可能性がある。
【００１８】
このような状態になると、電子機器筐体Ａや作業者の人体に帯電している静電気がディスクドライブユニットＢから信号線に流れ、光ピックアップを破壊する可能性がある。しかしながら、本発明による場合は、接触子１０によりシャーシケース１が電子機器筐体Ａと電気的に接続されているため、静電気がディスクドライブユニットＢに流れるのを未然に防止することができる。
【００１９】
マウントベイ８の定位置に装着されたディスクドライブユニットＢは、取付ネジ１１によりホルダー９に固定される。この時、マルチコネクタ２とマルチコネクタ６は接続を完了し、また、図４（Ｂ）に示すように切換スイッチ４が操作子７により作動され、光ピックアップの信号線の短絡状態が解除される。
【００２０】
以上説明したように本発明によれば、光ピックアップの信号線の短絡状態を解除するため、配線を除去するような作業が全く不要となり、ディスクドライブユニットＢを電子機器筐体Ｂに組み込むだけで目的を達成することができ、きわめて安全性の高いマウント構造となる。
【産業上の利用可能性】
【００２１】
本発明は、光ピックアップにより光ディスクへの情報の記録または再生を行うディスクドライブユニットへ広範に実施することができ、実施例として説明した前進後退するディスクトレイを採用するドロワ方式に限らず、パーソナルコンピュータに多く採用されているスロットイン方式にも実施することが可能である。
【図面の簡単な説明】
【００２２】
【図１】本発明を実施した電子機器の外観を示す斜視図である。
【図２】本発明の要部の構成を示す斜視図である。
【図３】本発明のマウント構造を示す組立斜視図である。
【図４】本発明が機能する状態を示す図である。
【符号の説明】
【００２３】
１・・・・・・シャーシケース
２・・・・・・マルチコネクタ
３・・・・・・配線基板
４・・・・・・切換スイッチ
５・・・・・・配線基板
６・・・・・・マルチコネクタ
７・・・・・・操作子
８・・・・・・マウントベイ
９・・・・・・ホルダー
１０・・・・・接触子
１１・・・・・取付ネジ
【図１】
2007157302.tif 000003
【図２】
2007157302.tif 000004
【図３】
2007157302.tif 000005
【図４】
2007157302.tif 000006